(57)【要約】【課題】前方に扉の開閉スペースがとりづらい場合でも、扉を開閉でき、また、扉の幅＋開口時の扉持ち出し幅という長いレールを必要とせず、キャビネット本体の幅と扉の幅をほぼ同等にしても扉を横方向に開閉可能な収納キャビネットを提供することを目的とする。【解決手段】収納部を有するキャビネットの該収納部の開口部を開閉する扉を備えた収納キャビネットにおいて、前記扉上部には該扉を左右方向に移動することができるスライドレールが取付けられ、前記スライドレールが該スライドレールを前後方向に移動させる前後方向移動手段を介して、前記キャビネットの開口部に取付けられるように構成した。【選択図】  図３
2004229977.tif 000002
【特許請求の範囲】
【請求項１】
少なくとも収納部と該収納部の開口を開閉する扉とを備える収納キャビネットであって、前記扉が手前に引き出された後に左右方向に移動することによって前記収納部を開放する収納キャビネットにおいて、
前記扉の裏面に左右方向に移動することができるスライドレールが取付けられ、前記スライドレールには前記収納部に連結される少なくとも２つ以上の連結部材が連結され、該連結部材の１つ以上が前後方向に伸縮できる伸縮機能を有することを特徴とする収納キャビネット。
【請求項２】
前記連結部材の前記キャビネット収納部への連結が収納部の両端であることを特徴とする請求項１に記載の収納キャビネット。
【請求項３】
前記連結部材の１つがヒンジであり、１つが前後方向に伸縮することを特徴とする請求項１または２に記載の収納キャビネット。
【発明の詳細な説明】
【０００１】
【発明の属する技術分野】
本発明は、前方に扉の開閉スペースがとりづらい場合でも、扉を開閉できる収納キャビネットに関する。
【０００２】
【従来の技術】
従来の収納キャビネット扉構造は観音開き式、引き出し式、左右スライド式が一般的といえる。中でも住宅のトイレルーム内の様に、観音開き式、引き出し式の収納キャビネットを設置したくても前方に十分な扉開閉スペースが無い場合は、天板および底板に敷設された上下対象のレールに沿ってスライドする扉を備えた収納キャビネットが用いられている。（特許文献１  図４参照）
また、開けた扉が収納部の前で邪魔にならず、収納部の開口部を大きく全開できるように扉を一旦手前に引き出してから側方にスライドするようにした構造の収納庫が用いられている。（特許文献２  図５参照）
【０００３】
【特許文献１】
特開平２００２−１９１４５２（第４図）
【特許文献２】
特開平２００２−２９５１１７（第５図）
【０００４】
【発明が解決しようとする課題】
上記特許文献１に記載のキャビネットでは、扉を開閉する際には、キャビネットの天板および底板に上下対称に敷設させた溝状のレールに沿って扉をスライドさせる。しかしながら、キャビネットの幅は必然的にレールの長さに依存するものとなり、扉の幅＋開口時の扉持ち出し幅を確保するために横方向に大型なキャビネットになってしまうという課題がある。
【０００５】
特許文献２に記載のキャビネットでは、隣り合う扉や障害物を乗り越えるための揺動アームが折りたたまれてキャビネット内部に格納される。従って、乗り越えるべき障害物の突出寸法が大きければそれだけ揺動アームが大きくなり、キャビネット収納物に影響を及ぼすという課題がある。また、揺動アームが扉の片端に取付けられているため、扉を開放する際に、扉を移動させる方向が一方向に限定されるという課題もある。
【０００６】
本発明は上記の課題を解決するためになされたものであるが、その目的は、前方に扉の開閉スペースがとりづらい場合でも、扉を開閉でき、また、扉の幅＋開口時の扉持ち出し幅という長いレールを必要とせず、キャビネット本体の幅と扉の幅をほぼ同等にしても扉を横方向に開閉可能な収納キャビネットを提供することにある。
【０００７】
【課題を解決するための手段】
上記目的を達成するために本発明に係る発明は、少なくとも収納部と該収納部の開口を開閉する扉とを備える収納キャビネットであって、前記扉が手前に引き出された後に左右方向に移動することによって前記収納部を開放する収納キャビネットにおいて、前記扉の裏面に左右方向に移動することができるスライドレールが取付けられ、前記スライドレールには前記収納部に連結される少なくとも２つ以上の連結部材が連結され、該連結部材の１つ以上が前後方向に伸縮できる伸縮機能を有することを特徴とする。
本発明によれば、扉をキャビネット本体から前方に持ち出し、スライドレールにより扉を左右にスライドさせることができる。したがって、収納キャビネットの前方に十分な扉開閉スペースが無い場合でも扉が開閉できる。
また、前後ガイドレールがキャビネット側板あるいは天板に取付けられている為、隣り合う扉や乗り越えるべき障害物の寸法に合わせてレール長さを調整すれば良いので、キャビネット内蔵物に大きな影響を与える事が無い。
【０００８】
本発明の好ましい態様として、前記連結部材の前記キャビネット収納部への連結が収納部の両端であることを特徴とする。
この構成によれば、扉を回転させるような無理な力が加わっても、前後方向移動手段の開口部への取付け部分の破損を防止することができる。
【０００９】
本発明の好ましい態様として、前記連結部材の１つがヒンジであり、１つが前後方向に伸縮することを特徴とする。
連結部材の１つをヒンジとすることにより、より収納物への影響が少なくなる上、扉をスライドさせる際のがたつきをより少なくすることができる。
【００１０】
【発明の実施の形態】
本発明の請求項１の実施の形態を図１から図４を用いて説明する。
図１はスライド式扉を有するキャビネットを示しており、主に扉１、側板２、天板５、底板、蹴込板６から構成され、扉１はキャビネットの収納部の開口部を開閉するために、裏面に左右スライドレール３が取付けられている。そして、左右スライドレール３は、その両端部分を前後方向に伸縮する２つの連結部材である前後スライドレール４により収納部の側板２の内面の上部に取付けられている。
【００１１】
スライドレール３は、可動レール３ａと可動レールを包むガイドレール３ｂから構成され、ガイドレール３ｂが扉の裏面に固定される。
また、前後スライドレール４のガイドレール４ａはキャビネットの側板２に固定され前後可動レール４ｂの先端部分に左右可動レール３ｂが取付けられる。
前後スライドレールのガイドレール４ａが収納部の両端である側板にそれぞれ固定されるので、扉に無理な力が加わっても、固定部分の破損を防止することができる。さらに、扉の手前への引き出しを最小限とすることにより、前後スライドレールの大きさを小さくし、収納物へ影響しないようにすることもできる。
ここで、連結部材の実施例として前後スライドレールを示したが、前後スライドレールの他にクランク式や、アンテナ式などでもよい。
【００１２】
扉を開けるには、図２に示すように、一度扉１を手前にスライドさせ、その後、図３に示すように横方向にスライドさせると収納部が開口する。図３では、扉を向かって左側にスライドさせているが、スライドの向きは左右どちらでもスライドすることができる。
上記の構成とすることにより、収納部の大きさと扉の大きさを同程度とすることができ、収納キャビネットが横方向に小型あっても、収納部からの物品の出し入れが十分に行える。
【００１３】
また、本発明の収納キャビネットでは、図４に示すように、本収納キャビネットの横に別のキャビネット７が置かれても扉１をスライドさせることができる。
【００１４】
本発明の別の実施の形態を図５から図７を用いて示す。
扉の裏面には左右スライドレール９が取付けられ、左右スライドレール９の右端がヒンジ８によって収納部の側板内面上部に取付けられる。左右スライドレール９の左端はクランク式等の角度調整可能な角度調整部材により、収納部の側板内面上部に取付けられる。
【００１５】
ここで、左右スライドレールは、上述したガイドレールと可動レールの組合せでもよいが、図６に示すようにガイドレール９ａと第１の可動レール９ｂと扉に固定される第２の可動レール９ｃとの組合せでもよい。
【００１６】
扉の開閉は、一度扉の左側を開き、その後扉を左方向にスライドさせるようにする。ここで、扉を右開きにする場合は、ヒンジと角度調整部材を左右逆に取付ければよい。
上述の構成とすることにより、図７に示すように、本収納キャビネットの隣に別のキャビネットを設置しても扉を開閉することができる。
【００１７】
【発明の効果】
本発明は上記構成により次の効果を発揮する。
扉をキャビネット本体から前方にスライドまたは回動させその後扉を横方向にスライドさせて開くことが可能になったため、長い溝状のレールを有した大型なキャビネット本体を必要とせず、また、扉の開閉スペースがとりづらい場合でも、扉を開閉できる収納キャビネットが提供できる。
【図面の簡単な説明】
【図１】本発明の実施例を表す斜視図
【図２】本発明の実施例を表す斜視図
【図３】本発明の実施例を表す斜視図
【図４】本発明の実施例を表す斜視図
【図５】本発明の実施例を表す斜視図
【図６】本発明の実施例を表す斜視図
【図７】本発明の実施例を表す斜視図
【図８】従来の例を示す図
【図９】従来の例を示す図
【符号の説明】
１…扉、２…側板、
３…左右スライドレール、３ａ…左右ガイドレール、３ｂ…左右可動レール、
４…前後スライドレール、４ａ…前後ガイドレール、４ｂ…前後可動レール
５…天板、６…蹴込板、７…別のキャビネット、８…ヒンジ、
９…左右スライドレール、９ａ…ガイドレール、９ｂ…第１の可動レール、
９ｃ…第２の可動レール、９ｄ…角度調節部材、１０…底板
【図１】
2004229977.tif 000003
【図２】
2004229977.tif 000004
【図３】
2004229977.tif 000005
【図４】
2004229977.tif 000006
【図５】
2004229977.tif 000007
【図６】
2004229977.tif 000008
【図７】
2004229977.tif 000009
【図８】
2004229977.tif 000010
【図９】
2004229977.tif 000011